(57)【要約】【課題】任意の場所に遠隔防犯通知システムを設置することができ、低コストで、構成が簡単で、不正侵入者を直ちに特定することのできる遠隔防犯通知システムを提供する。【解決手段】監視対象物の状態変化により家宅内への入場者を感知する感知手段４０と、感知手段４０が監視対象物の状態変化を感知した際に、監視対象物を含む周辺の映像を撮影する撮影手段５０と、感知手段４０が入場者を感知すると、入場者が認証を受けた者か否かを判定する認証手段６０と、撮影手段５０が撮影した画像または認証手段６０による認証結果、及びこれらの両方をリアルタイムで配信する配信手段２０と、配信手段２０からのデータの配信を家宅内に設けられた無線ＬＡＮ環境下で行うための無線ＬＡＮ環境接続手段１７とを備えた遠隔防犯通知システム１。【選択図】  図１
2004236048.tif 000002
【特許請求の範囲】
【請求項１】
監視対象物の状態変化により家宅内への入場者を感知する感知手段と、
該感知手段が前記監視対象物の状態変化を感知した際に、前記監視対象物を含む周辺の映像を撮影する撮影手段と、
前記感知手段が前記入場者を感知すると、該入場者が認証を受けた者か否かを判定する認証手段と、
前記撮影手段が撮影した画像または前記認証手段による認証結果、及びこれらの両方をリアルタイムで配信する配信手段と、
該配信手段からのデータの配信を該家宅内に設けられた無線ＬＡＮ環境下で行うための無線ＬＡＮ環境接続手段とを備えたことを特徴とする遠隔防犯通知システム。
【請求項２】
前記配信手段は、前記感知手段が前記入場者を感知した際に入手した情報を配信することを特徴とする請求項１記載の遠隔防犯通知システム。
【請求項３】
前記撮影手段は、前記映像とともに前記監視対象物を含む周辺の音声を記録し、
前記配信手段は、前記撮影手段が撮影した画像に加え、該音声を配信することを特徴とする請求項１または２記載の遠隔防犯通知システム。
【請求項４】
前記配信手段からのデータの配信を、複数のアドレス宛に同時に配信する一斉送信手段を備えたことを特徴とする請求項１、２または３記載の遠隔防犯通知システム。
【発明の詳細な説明】
【０００１】
【発明の属する技術分野】
本発明は、遠隔防犯通知システムに関し、特に、無線通信ネットワークを利用して家宅内への侵入者を監視して通知する遠隔防犯通知システムに関する。
【０００２】
【従来の技術】
従来、家宅内へ泥棒等の不法侵入者が侵入した場合等に対処するため、種々のセキュリティシステムが提案されている。
【０００３】
例えば、特許文献１には、不法侵入者が侵入したか否かを簡単かつ低コストで確認するための携帯電話電子メール通報装置が開示されている。この通報装置では、外部入力装置と人体感知センサとが接続され、人体感知センサが動作すると、画像データや文字データが電子メールとして携帯電話に転送され、不法侵入者の侵入を管理者に通報する。
【０００４】
また、特許文献２には、監視エリア内を離れた場所から確実に監視するため、監視エリア内を撮影してビデオ信号を出力する監視カメラと、ビデオ信号を画像化した画像中に不審者が映っているか否かを判別し、不審者が映っていると判別すると、不審者が侵入した旨の電子メールをインターネット回線を介して携帯電話に送信する監視用コンピュータとを備えた遠隔監視システムが開示されている。
【０００５】
さらに、特許文献３には、家庭電気機器の異常状態を感知し、または事前に異常を予知して警報を発することができ、誤操作等によって発生する事故を防止することのできるホームセキュリティシステムが開示されている。このシステムのホームセキュリティ宅内コントローラは、状態監視サーバ、データベース及び無線ＬＡＮインタフェースを備えている。一方、家庭電気機器は、機器の状態監視機能を備え、電源のＯＮ／ＯＦＦ信号及び機器の障害情報を無線ＬＡＮによりホームセキュリティ宅内コントローラに送信する。そして、ホームセキュリティ宅内コントローラは、各種センサの検知信号によって火災の発生、人の侵入等を監視するとともに、家庭電気機器からの送信情報によって各機器の状態を監視し、異常を検知した場合には、警報を発するとともに、公衆網を介して警備会社、及び携帯電話、ＰＨＳ、ポケットベル（登録商標）等に異常の発生を知らせる。
【０００６】
【特許文献１】
特開２００２−２４９６４号公報
【０００７】
【特許文献２】
特開２００２−２３０６５４号公報
【０００８】
【特許文献３】
特開２００２−２６０１３４号公報
【０００９】
【発明が解決しようとする課題】
しかし、特許文献１及び特許文献２に記載のセキュリティシステムにおいては、センサ機能を搭載している防犯装置とインターネット網への接続を制御しているパーソナルコンピュータや専用装置との接続に有線接続を利用しているため、有線接続による専用線の構築や配線作業等が煩雑となり、防犯装置の設置場所が限定されるという問題があった。
【００１０】
一方、特許文献３に記載のセキュリティシステムにおいては、上記問題を解決すべく、無線通信環境を利用しているが、専用サーバを軸としたセキュリティシステムに専用の無線ＬＡＮ通信環境を構築することを前提としているため、コストが増加するとともに、システムが複雑になるという問題があった。
【００１１】
上記に加え、その他従来の遠隔防犯通知システムでは、通知媒体としてテキストデータ及び画像データを使用するため、センサ作動時に入場した者が不正侵入者であることを特定するには、例えば、携帯端末側で編集後の画像データを確認すること等の作業が必要となり、センサの作動時から入場者を確認するまでに時間がかかり過ぎるという問題があった。
【００１２】
そこで、本発明は、上記従来の遠隔防犯通知システムにおける問題点に鑑みてなされたものであって、任意の場所に遠隔防犯通知システムを設置することができ、低コストで、構成が簡単で、不正侵入者を直ちに特定することのできる遠隔防犯通知システムを提供することを目的とする。
【００１３】
【課題を解決するための手段】
上記目的を達成するため、本発明は、遠隔防犯通知システムであって、監視対象物の状態変化により家宅内への入場者を感知する感知手段と、該感知手段が前記監視対象物の状態変化を感知した際に、前記監視対象物を含む周辺の映像を撮影する撮影手段と、前記感知手段が前記入場者を感知すると、該入場者が認証を受けた者か否かを判定する認証手段と、前記撮影手段が撮影した画像または前記認証手段による認証結果、及びこれらの両方をリアルタイムで配信する配信手段と、該配信手段からのデータの配信を該家宅内に設けられた無線ＬＡＮ環境下で行うための無線ＬＡＮ環境接続手段とを備えたことを特徴とする。
【００１４】
そして、本発明によれば、家宅内の無線ＬＡＮ環境を利用するため、任意の場所に遠隔防犯通知システムを設置することができるとともに、専用線やサーバ等の設備機器を導入することなく、かつ、通信環境に高い知識を持つ必要もなく、低コストで、構成が簡単な遠隔防犯通知システムを導入することができる。さらに、これに加え、本発明によれば、リアルタイムで撮影手段が撮影した画像、認証結果を配信することができるため、不正侵入者を直ちに特定することが可能となる。
【００１５】
前記遠隔防犯通知システムの配信手段は、前記感知手段が前記入場者を感知した際に入手した情報を配信することを特徴とする。これによって、入場者を感知した日時を記載したテキストデータ等を生成し、電子メールとして配信することができ、不正侵入者等の特定をより効率的に行うことが可能となる。
【００１６】
また、前記撮影手段は、前記映像とともに前記監視対象物を含む周辺の音声を記録し、前記配信手段は、前記撮影手段が撮影した画像に加え、該音声を配信することが好ましい。画像データに加え音声データを配信することにより、より効率的に不正侵入者等を特定することができる。
【００１７】
さらに、前記遠隔防犯通知システムは、前記配信手段からのデータの配信を、複数のアドレス宛に同時に配信する一斉送信手段を備えることが好ましい。これによって、家宅の所有者だけでなく、防犯業者等に不正侵入者等の侵入を通知することができる。
【００１８】
【発明の実施の形態】
次に、本発明の実施の形態について図面を参照しながら詳細に説明する。
【００１９】
図１は、本発明にかかる遠隔防犯通知システム１の一実施の形態を示し、この遠隔防犯通知システム１は、家宅内に設けられ、遠隔防犯通知装置１０と、防犯センサ装置４０と、音声機能を搭載した防犯カメラ装置５０と、認証装置６０とで構成される。
【００２０】
遠隔防犯通知装置１０は、防犯センサ装置４０と、防犯カメラ装置５０と、認証装置６０とに接続される。また、遠隔防犯通知装置１０は、無線ＬＡＮ装置２０との間で通信を行うことにより、無線ＬＡＮ装置２０に接続されているインターネット網（ＷＡＮ）７０を経由して携帯端末３０へテキストデータ及び動画データを通知する。
【００２１】
遠隔防犯通知装置１０は、外部入出力ＩＦ（インターフェース）部１１と、メイン制御部１２と、データ記録部１３と、センサ装置ＩＦ部１４と、カメラ装置ＩＦ部１５と、認証装置ＩＦ部１６と、無線ＬＡＮ接続ＩＦ部１７とを含む。そして、外部入出力ＩＦ部１１乃至無線ＬＡＮ接続ＩＦ部１７は、各々概略次のように動作する。
【００２２】
外部入出力ＩＦ部１１は、キーボード等からの入出力を制御する。データ記録部１３は、送信先アドレスの登録、防犯センサ装置４０が作動した際の日時情報等を履歴として残すためのテキストデータの記録、防犯カメラ装置５０により取り込んだ動画データの記録、並びに、カメラ撮影機能、電子メール作成機能及び認証システム機能の作動要否の状態記憶を行う。
【００２３】
センサ装置ＩＦ部１４は、防犯センサ装置４０とのＩＦ制御を行う。カメラ装置ＩＦ部１５は、防犯カメラ装置５０とのＩＦ制御を行う。認証装置ＩＦ部１６は、認証装置６０とのＩＦ制御を行う。また、無線ＬＡＮ接続ＩＦ部１７は、例えば、無線ＬＡＮ環境で通信を行うために必要となる無線ＬＡＮカード等の接続及びそれらのＩＦ制御を行う。
【００２４】
メイン制御部１２は、外部入出力ＩＦ部１１、データ記録部１３、センサ装置ＩＦ部１４、カメラ装置ＩＦ部１５、認証装置ＩＦ部１６、無線ＬＡＮ接続ＩＦ部１７のすべてに接続され、これら全体を制御する。
【００２５】
次に、上記構成を有する遠隔防犯通知システム１の動作について、図１を参照しながら詳細に説明する。
【００２６】
まず、遠隔防犯通知装置１０のメイン制御部１２は、外部入出力ＩＦ部１１から入力された送信先アドレス、並びに、カメラ撮影機能、電子メール作成機能及び認証システム機能に関する作動要否の情報をデータ記録部１３に記録する。
【００２７】
次に、メイン制御部１２は、無線ＬＡＮ接続ＩＦ部１７を介して無線ＬＡＮ２０との無線通信を可能状態に設定するとともに、センサ装置ＩＦ部１４を介して防犯センサ装置４０に対してセンサ起動を促し、センサ作動中に設定する。
【００２８】
次に、メイン制御部１２は、データ記録部１３からカメラ撮影機能の作動要否情報を取得し、撮影指定時には、カメラ装置ＩＦ部１５を介して防犯カメラ装置５０の起動を促し、防犯カメラ撮影可能状態に設定する。
【００２９】
また、メイン制御部１２は、データ記録部１３から認証システム機能の作動要否情報を取得し、認証機能指定時には、認証装置ＩＦ部１６を介して認証装置６０に対して起動を促し、認証可能状態に設定する。
【００３０】
そして、防犯センサ装置４０が家宅等への入場者を感知したことをセンサ装置ＩＦ部１４を介してメイン制御部１２が認識すると、メイン制御部１２は、防犯カメラ装置５０が撮影可能状態になっている場合には、動画撮影を開始した後、データ記録部１３からアドレス情報を読み出し、データ記録部１３に登録されているすべてのアドレスに対して、防犯カメラ装置５０から受信する映像及び音声をリアルタイムに無線ＬＡＮ接続ＩＦ部１７から無線ＬＡＮ装置２０に向けて送信し、リアルタイム動画配信を行う。そして、無線ＬＡＮ装置２０は、無線通信にて受信した動画データをインターネット網７０を介して携帯端末３０に送信することでリアルタイム動画配信が行われる。
【００３１】
また、メイン制御部１２は、入場者通知を行った後、データ記録部１３から電子メール作成要否情報を取得し、作成指定時には、例えば、入場者を感知した日時を記載したテキストデータ（電子メール）を生成し、データ記録部１３から登録メールアドレス情報を読み出し、データ記録部１３に登録されているすべてのメールアドレスに対し、無線ＬＡＮ接続ＩＦ部１７から無線ＬＡＮ装置２０に向けて通信（メール送信）を行う。無線ＬＡＮ装置２０は、無線通信にて受信した電子メールをインターネット網７０を介して携帯端末３０に送信し、入場者通知を行なう。
【００３２】
さらに、メイン制御部１２は、入場者を感知し、認証装置が認証可能状態である場合には、任意に設定される認証確認タイマを起動して認証待ち状態に遷移する。メイン制御部１２は、認証待ち状態中に認証装置ＩＦ部１６を介して認証装置６０から、例えば、指紋認証適合の通知を受信した場合には、認証確認タイマを停止し、認証待ち状態を解除する。
【００３３】
そして、メイン制御部１２は、認証待ち状態中に認証装置ＩＦ部１６を介して認証装置６０から、例えば、指紋認証不適合の通知を受信した場合、あるいは認証確認タイマのタイムアウトが発生した場合には、認証待ち状態を解除した後、直ちに、例えば、指紋認証不適合の情報を記載したテキストデータ（電子メール）を生成し、上述の通信方法を用いて電子メールを携帯端末３０に送信する。
【００３４】
【発明の効果】
以上説明したように、本発明によれば、任意の場所に遠隔防犯通知システムを設置することができ、低コストで、構成が簡単で、不正侵入者を直ちに特定することのできる遠隔防犯通知システムを提供することができる。
【図面の簡単な説明】
【図１】本発明にかかる遠隔防犯通知システムの一実施の形態を示す構成図である。
【符号の説明】
１            遠隔防犯通知システム
１０        遠隔防犯通知装置
１１        外部入出力ＩＦ部
１２        メイン制御部
１３        データ記録部
１４        センサ装置ＩＦ部
１５        カメラ装置ＩＦ部
１６        認証装置ＩＦ部
１７        無線ＬＡＮ接続ＩＦ部
２０        無線ＬＡＮ装置
３０        携帯端末
４０        防犯センサ装置
５０        防犯カメラ装置
６０        認証装置
７０        インターネット網
【図１】
2004236048.tif 000003